(57)【要約】【課題】付加情報を文書本文に付加するに当たって、当該付加情報を確実に読み取ることができる位置（領域）に付加するようにする。【解決手段】印刷データ解析部１４、印刷設定処理部１６およびサムネイル処理部１７からなる検出部において、サムネイル画像の情報を解析して当該サムネイル画像中の描画情報と付加情報が重ならない領域を検出する。そして、ＵＵＩＤ生成部１８および合成画像生成部１９からなる生成部において、サムネイル画像に対して上記検出部が検出した領域に付加情報を付加した合成画像を生成する。【選択図】図１
2010153990.tif 000002
【特許請求の範囲】
【請求項１】
縮小画像を含む電子文書に対して、あらかじめ指定された位置に付加情報を付加して印刷する画像処理装置であって、
前記縮小画像の情報を解析して当該縮小画像中の描画情報と前記付加情報が重ならない領域を検出する検出部と、
前記縮小画像に対して前記検出部が検出した前記領域に前記付加情報を付加した合成画像を生成する生成部と
を備える画像処理装置。
【請求項２】
前記検出部は、前記付加情報が前記描画情報と重ならない領域を複数検出した場合に、当該複数の位置をユーザに提示して選択させる
請求項１記載の画像処理装置。
【請求項３】
前記検出部は、前記付加情報が前記描画情報と重ならない領域が存在しない場合に、前記付加情報の描画色を背景色に対してコントラストが強い色に変更する
請求項１記載の画像処理装置。
【請求項４】
前記検出部は、印刷設定としてあらかじめ指定されているカラーモードを考慮して前記付加情報の描画色を決める
請求項３記載の画像処理装置。
【請求項５】
前記検出部は、複数ページを１ページで表現する機能が印刷設定に指定されている場合には、前記付加情報を付加するページの情報を解析対象とする
請求項１記載の画像処理装置。
【請求項６】
縮小画像を含む電子文書に対して、あらかじめ指定された位置に付加情報を付加して印刷する画像処理プログラムであって、
前記縮小画像の情報を解析して当該縮小画像中の描画情報と前記付加情報が重ならない領域を検出する検出ステップと、
前記縮小画像に対して前記検出ステップで検出した前記領域に前記付加情報を付加した合成画像を生成する生成ステップと
の各処理をコンピュータに実行させる画像処理プログラム。
【発明の詳細な説明】
【技術分野】
【０００１】
本発明は、画像処理装置および画像処理プログラムに関する。
【背景技術】
【０００２】
近年、企業等において機密情報の漏洩が問題になっている。特に、重要度の高い機密情報を扱う業種の企業等では、従業員全ての印刷情報の履歴管理を必要とする場合がある。この履歴管理においては、情報漏洩事故が起こった際にその事故発生の原因を追跡調査するために、用紙に情報を出力した人や、情報を出力した機器などを特定できる識別情報を付加情報として埋め込んで描画する手法が採られている。
【０００３】
識別情報を埋め込む技術としては、従来、文書を識別するための識別情報を付加情報として文書本文に付加して用紙に記録しておくことで、文書の追跡調査を行えるようにしていた（例えば、特許文献１参照）。
【０００４】
【特許文献１】特開２００６−９３９２１号公報
【発明の開示】
【発明が解決しようとする課題】
【０００５】
本発明は、付加情報を文書本文に付加するに当たって、当該付加情報を確実に読み取ることができる位置（領域）に付加することが可能な画像処理装置および画像処理プログラムを提供することを目的とする。
【課題を解決するための手段】
【０００６】
請求項１記載の画像処理装置は、
縮小画像を含む電子文書に対して、あらかじめ指定された位置に付加情報を付加して印刷する画像処理装置であって、
前記縮小画像の情報を解析して当該縮小画像中の描画情報と前記付加情報が重ならない領域を検出する検出部と、
前記縮小画像に対して前記検出部が検出した前記領域に前記付加情報を付加した合成画像を生成する生成部と
を備える。
【０００７】
請求項２記載の画像処理装置は、請求項１記載の画像処理装置において、前記検出部は、前記付加情報が前記描画情報と重ならない領域を複数検出した場合に、当該複数の位置をユーザに提示して選択させる。
【０００８】
請求項３記載の画像処理装置は、請求項１記載の画像処理装置において、前記検出部は、前記付加情報が前記描画情報と重ならない領域が存在しない場合に、前記付加情報の描画色を背景色に対してコントラストが強い色に変更する。
【０００９】
請求項４記載の画像処理装置は、請求項３記載の画像処理装置において、前記検出部は、印刷設定としてあらかじめ指定されているカラーモードを考慮して前記付加情報の描画色を決める。
【００１０】
請求項５記載の画像処理装置は、請求項１記載の画像処理装置において、前記検出部は、複数ページを１ページで表現する機能が印刷設定に指定されている場合には、前記付加情報を付加するページの情報を解析対象とする。
請求項１記載の画像処理装置。
【００１１】
請求項６記載の画像処理プログラムは、
縮小画像を含む電子文書に対して、あらかじめ指定された位置に付加情報を付加して印刷する画像処理プログラムであって、
前記縮小画像の情報を解析して当該縮小画像中の描画情報と前記付加情報が重ならない領域を検出する検出ステップと、
前記縮小画像に対して前記検出ステップで検出した前記領域に前記付加情報を付加した合成画像を生成する生成ステップと
の各処理をコンピュータに実行させる。
【発明の効果】
【００１２】
請求項１記載の画像処理装置によれば、描画情報と付加情報が重ならない領域を検出するための解析対象が縮小画像の情報であるため、当該解析対象が縮小前の画像の情報の場合よりも高速に解析しつつ、本文の情報を欠くことなく、付加情報を確実に読み取ることができる位置（領域）に付加することができる。
【００１３】
請求項２記載の画像処理装置によれば、縮小画像に対してユーザの好みの位置に付加情報を合成することができる。
【００１４】
請求項３記載の画像処理装置によれば、付加情報の描画色が背景色に対してコントラストが強いことで、付加情報が描画情報と重なっていても、付加情報を確実に読み取ることができる。
【００１５】
請求項４記載の画像処理装置によれば、付加情報の描画色として背景色に対してよりコントラストが強い色を設定できる。
【００１６】
請求項５記載の画像処理装置によれば、付加情報を付加するページの情報を解析すれば良いために、複数のページの情報を解析する場合よりも処理速度を上げることができる。
【００１７】
請求項６記載の画像処理プログラムによれば、描画情報と付加情報が重ならない領域を検出し、当該領域に付加情報を付加する処理をコンピュータに実行させることができる。
【発明を実施するための最良の形態】
【００１８】
以下、本発明の実施の形態について図面を参照して詳細に説明する。
【００１９】
［システム構成］
図１は、本発明に係る画像処理装置を含む情報処理システムの概略を示すシステム構成図である。図１に示すように、本情報処理システムは、本発明に係る画像処理装置１０に加えてクライアントＰＣ（Personal Computer）２０を有し、画像処理装置１０とクライアントＰＣ２０とがネットワーク３０を介して相互に通信可能に接続された構成となっている。
【００２０】
クライアントＰＣ２０は、印刷指示や印刷する電子文書などを画像処理装置１０に対してネットワーク３０を介して送信する。ネットワーク３０による接続形態としては、ＬＡＮ(Local Area Network)、イントラネット、インターネット、電話回線網、専用通信線を用いる形態や、相互に直結する形態など、種々の接続形態を採ることができる。
【００２１】
（画像処理装置）
画像処理装置１０は、デジタル複写機や、コピー機能、プリント機能、ＦＡＸ（ファクシミリ）機能等の各機能を複合的に備えた複合機などである。図１に示すように、本発明に係る画像処理装置１０は、通信Ｉ／Ｆ（インターフェース）部１１、ＵＩ（ユーザインターフェース）部１２および画像出力ユニット１３を備え、さらに、印刷データ解析部１４、画像描画部１５、印刷設定処理部１６、サムネイル処理部１７、ＵＵＩＤ（Universally Unique IDentifier；汎用一意識別子）生成部１８および合成画像生成部１９の各機能ブロックを有する構成となっている。
【００２２】
上記構成の画像処理装置１０は、クライアントＰＣ２０から印刷データとして特にサムネイルと呼称される縮小画像（以下、「サムネイル」と記述する）を含む電子文書が与えられた際に、後述する本発明の特徴とする機能を発揮する。
【００２３】
ここで、画像処理装置１０の構成要素および機能ブロックの各機能について説明する。通信Ｉ／Ｆ部１１は、ネットワーク３０との間でデータの授受（送受信）を行い、クライアントＰＣ２０からネットワーク３０を通して印刷すべきサムネイルを含む電子文書を受け取ると、当該電子文書を印刷データとして印刷データ解析部１４に渡す。
【００２４】
ＵＩ部１２は、ユーザによる操作の下に、サムネイルを含む電子文書に付加する付加情報等の各種の設定情報を入力する。本例では、一例として、情報漏洩事故が起こった際にその事故発生の原因を追跡調査するために、用紙に情報を出力した人や、情報を出力した機器などを特定できる識別情報を付加情報として入力する。
【００２５】
ユーザは、ＵＩ部１２から付加情報を入力する際には、付加情報を付加する位置を示す位置情報や、付加情報の色情報等の設定情報を入力する。画像出力ユニット１３は、本画像処理装置１０内で後述する処理が施された電子文書に基づく画像を用紙等の記録媒体に出力する画像形成部である。
【００２６】
印刷データ解析部１４は、通信Ｉ／Ｆ部１１から印刷データが与えられると、当該印刷データを解析する。具体的には、印刷データには両面印刷／片面印刷、白黒印刷／カラー印刷、付加情報の埋め込み指示の有り／無し等の印刷設定情報が含まれていることから、印刷データ解析部１４は当該印刷設定情報を解析する。
【００２７】
ここで、印刷データ解析部１４での解析の結果、付加情報の埋め込み指示無しの場合には、印刷データ解析部１４は、通信Ｉ／Ｆ部１１から与えられた印刷データをそのまま画像描画部１５に渡す。印刷データ解析部１４から印刷データを受けると、画像描画部１５は印刷データを画像として描画し、画像出力ユニット１３に渡す。この通信Ｉ／Ｆ部１１→印刷データ解析部１４→画像描画部１５→画像出力ユニット１３の流れが通常の印刷処理の流れとなる。
【００２８】
一方、印刷データ解析部１４での解析の結果、付加情報の埋め込み指示有りの場合は、印刷データ解析部１４は、通信Ｉ／Ｆ部１１から与えられた印刷設定情報を含む印刷データを印刷設定処理部１６へ渡す。印刷データ解析部１４から印刷データを受けると、印刷設定処理部１６は、印刷設定情報を基に両面印刷／片面印刷、白黒印刷／カラー印刷等の印刷設定を行うとともに、サムネイルの画像データを抽出してサムネイル処理部１７に渡す。
【００２９】
サムネイル処理部１７は、サムネイル画像の画像データを解析することにより、ＵＩ部１２から入力された付加情報を埋め込む埋め込み位置（付加位置）を決定する。ここで、付加情報の埋め込み位置は、サムネイル画像の描画情報と付加情報が干渉しない領域、即ち付加情報が文書本文と重ならず、当該付加情報を確実に読み取ることが可能な領域となる。
【００３０】
ＵＵＩＤ生成部１８は、サムネイル処理部１７で決定された埋め込み位置に埋め込むための付加情報を生成し、当該付加情報をサムネイル処理部１７で決定された埋め込み位置の位置情報と共に合成画像生成部１９に渡す。ここで、ＵＵＩＤ生成部１８は、基本的にはＵＩ部１２で設定入力された色の付加情報を生成するが、必要に応じてその色を変更することも可能である（その詳細については後述する）。
【００３１】
ＵＵＩＤ生成部１８から付加情報および埋め込み位置の位置情報を受けると、合成画像生成部１９は、本文の文書画像に対して埋め込み位置情報で指定される空白部分に付加情報を埋め込んだ合成画像データを生成し、画像描画部１５に渡す。合成画像生成部１９から合成画像データを受けると、画像描画部１５は合成画像データを付加情報が埋め込まれた画像として描画し、画像出力ユニット１３に渡す。
【００３２】
上記構成の画像処理装置１０において、印刷データ解析部１４、印刷設定処理部１６およびサムネイル処理部１７が、サムネイル画像の情報を解析して当該サムネイル画像中の描画情報と付加情報が重ならない領域を検出する検出部を構成している。また、ＵＵＩＤ生成部１８および合成画像生成部１９が、サムネイル画像に対して上記検出部が検出した領域に付加情報を付加した合成画像を生成する生成部を構成している。
【００３３】
［付加情報を付加する処理手順］
続いて、文書ファイルを例えば複合機で印刷する際に、当該複合機となる上記構成の画像処理装置１０において実行される、サムネイル画像に付加情報を付加するための一連の処理手順について、図２のフローチャートを用いて説明する。
【００３４】
クライアントＰＣ２０から印刷データが送信されるとともに印刷スタートの指示があると、先ず、印刷データ解析部１４が印刷データを受信して当該印刷データを解析する（ステップＳ１１）。次いで、印刷設定処理部１６が印刷データと一緒にクライアントＰＣ２０側から送信された印刷設定情報を解析する（ステップＳ１２）。
【００３５】
次に、サムネイル処理部１７がＵＩ部１２から付加情報を付加する旨の指示があるか否かを判断し（ステップＳ１３）、付加の指示ありの場合には、印刷データからサムネイル画像の画像データを抽出する（ステップＳ１４）。
【００３６】
そして、サムネイル処理部１７は、ＵＩ部１２から与えられる付加情報の付加位置をチェックし（ステップＳ１５）、サムネイル画像の画像データを解析することによってサムネイル画像中の描画情報と付加情報の付加位置が干渉するか否か、即ち付加情報が描画情報と重なるか否かを判断する（ステップＳ１６）。ここで、描画情報との重なりを検出する対象となるページは、ユーザが印刷対象として選択したページとする。
【００３７】
ここで、描画情報と付加情報の付加位置が干渉するということは、描画情報に付加情報の少なくとも一部が重なって印刷されることを意味する。このような印刷状態では、付加情報に支障が生じる。したがって、描画情報と干渉しない領域、即ち描画情報が存在しない空白領域を付加情報の付加位置とするのが好ましい。
【００３８】
付加情報の付加位置がサムネイル画像中の描画情報と干渉する場合には、付加位置の変更が可能であるか否か、即ち付加情報の付加位置がサムネイル画像中の描画情報と干渉しない空白領域が存在するか否かを判断する（ステップＳ１７）。
【００３９】
付加位置の変更が可能であれば、サムネイル処理部１７は変更先の位置設定を行う（ステップＳ１８）。この設定された変更先の位置情報は、ＵＵＩＤ生成部１８経由で、当該ＵＵＩＤ生成部１８で生成された付加情報と共に合成画像生成部１９に渡される。
【００４０】
一方、付加位置の変更が不可能な場合、即ち描画情報と干渉しない状態で付加情報を埋め込むことが可能な空白領域がサムネイル画像中に存在しない場合には、ＵＵＩＤ生成部１８は、ＵＩ部１２から指定された付加情報の色を変更する（ステップＳ１９）。
【００４１】
具体的には、少なくとも描画情報と干渉する部分の付加情報の色を、当該付加情報の背景色（付加情報と干渉する描画情報の色）に対してコントラストが強い色に変更する。一例として、背景色が黒の場合には付加情報の色を白にする。
【００４２】
そして、合成画像生成部１９は、付加位置の変更が可能な場合は、ＵＩ部１２で指定された色の付加情報を変更先の位置に合成した合成画像データを生成し、付加位置の変更が不可能能な場合は、背景色に対してコントラストが強い色に変更された付加情報をＵＩ部１２で指定された位置に合成した合成画像データを生成して画像描画部１５に渡す（ステップＳ２０）。
【００４３】
これにより、画像描画部１５において、合成画像生成部１９で生成された合成画像データを基に印刷する画像を描画し（ステップＳ２１）、次いで、画像出力ユニット経由でその描画画像を印刷出力する（ステップＳ２２）。
【００４４】
以上説明した、サムネイル画像を含む電子文書に付加情報を付加するための一連の処理を、本画像処理装置１０の機能部を構成するコンピュータ機器に実行させる画像処理プログラムが本実施形態に係る画像処理プログラムである。
【００４５】
ここで、本実施形態に係る画像処理プログラムについては、画像処理装置１０の機能部を構成するコンピュータ機器の記憶部にあらかじめインストールしておくことが考えられる。ただし、本コンピュータ機器の記憶部にあらかじめインストールすることに限定されるものではなく、有線若しくは無線による通信手段により提供（配信）することは勿論、コンピュータ読み取り可能なＣＤ−ＲＯＭ等の記憶媒体に格納して提供することも可能である。
【００４６】
［具体例］
ここで、サムネイル画像を含む文書ファイルを複合機にて印刷する際に、サムネイル画像に付加情報を合成（付加）する合成位置の具体例について説明する。
【００４７】
（具体例１）
図３は、具体例１に係る付加情報合成の説明図である。この具体例１は、「いろは」及び「ＡＢＣ」を描画情報とするサムネイル画像４０Ａの場合を示している。このサムネイル画像４０Ａは、描画情報が少ないために、付加情報５０を合成可能な空白領域が広い。
【００４８】
そして、このサムネイル画像４０Ａに対して、（Ａ）はサムネイル画像４０の右下に付加情報５０を合成する場合を、（Ｂ）はサムネイル画像４０Ａの左下に付加情報５０を合成する場合を、（Ｃ）はサムネイル画像４０Ａの右上に付加情報５０を合成する場合を、（Ｄ）はサムネイル画像４０Ａの左上に付加情報５０を合成する場合をそれぞれ示している。いずれの場合も、付加情報５０を合成する位置は空白領域となっており、付加情報５０が「いろは」及び「ＡＢＣ」の描画情報と重なることはない。
【００４９】
したがって、ＵＩ部１２から付加情報５０を付加する位置として例えば図３（Ａ）の位置があらかじめ指定されているとすれば、その指定位置が空白領域であることから、図３（Ｅ）に示すように、サムネイル画像４０の右下の空白領域に付加情報５０を合成（付加）した出力結果が得られる。また、指定位置が図３（Ｂ），（Ｃ）および（Ｄ）のいずれの場合にも当該指定位置への付加情報５０の合成が可能となる。
【００５０】
（具体例２）
図４は、具体例２に係る付加情報合成の説明図である。この具体例２は、「いろは」及び「ＡＢＣ」に加えて、上下両側に位置する帯状の黒領域を描画情報とするサムネイル画像４０Ｂの場合を示している。
【００５１】
このサムネイル画像４０Ｂにおいて、付加情報５０の合成位置をサムネイル画像４０Ｂの右下とした場合（Ａ）は、付加情報５０が下側の帯状の黒領域と重なることから、当該合成位置への付加情報５０の合成は不可（ＮＧ）となる。付加情報５０の合成位置をサムネイル画像４０Ｂの中央部の右側とした場合（Ｂ）は、中央部の右側の領域は描画情報が存在しない空白領域であることから、当該合成位置への付加情報５０の合成は可能（ＯＫ）となる。
【００５２】
付加情報５０の合成位置をサムネイル画像４０Ｂの右上とした場合（Ｃ）は、付加情報５０が上側の帯状の黒領域と重なることから、当該合成位置への付加情報５０の合成は不可となる。付加情報５０の合成位置をサムネイル画像４０Ｂの中央部の左側とした場合（Ｄ）は、中央部の左側の領域には「ＡＢＣ」の描画情報が存在し、当該描画情報と付加情報５０が重なることから、当該合成位置への付加情報５０の合成は不可となる。
【００５３】
ＵＩ部１２から付加情報５０を付加する位置として図４（Ａ），（Ｃ）または（Ｄ）の位置があらかじめ指定されている場合は、付加情報５０が描画情報と干渉する（重なる）と判断し、印刷データの解析結果を基に付加情報５０を付加する位置を図４（Ｂ）の位置に変更する。これにより、図４（Ｅ）に示すように、サムネイル画像４０の中央部右側の空白領域に付加情報５０を合成（付加）した出力結果が得られる。
【００５４】
（具体例３）
図５は、具体例３に係る付加情報合成の説明図である。この具体例３は、複数ページ（本例では、２ページ）を１ページで表現する（１枚の用紙にまとめて出力する）機能が印刷設定に指定されている場合を示している。
【００５５】
１枚の用紙に例えば２ページ分のサムネイル画像を出力する場合には、２ページ分のサムネイル画像の各々に付加情報５０を合成する必要はなく、いずれかのページのサムネイル画像に対して付加情報５０を合成すれば良いことになる。ここでは、図５（Ａ）に示すように、２ページ目のサムネイル画像に付加情報５０を合成するものとする。
【００５６】
本例の場合には、２ページ分のサムネイル画像の各々に対して、先述した付加情報を付加するための一連の処理を実行するのではなく、付加情報５０を合成する対象の２ページ目のサムネイル画像に対して行うようにする。このときの処理は、具体例１の場合の処理と同様である。これにより、図５（Ｂ）に示すように、２ページ分のサムネイル画像に、しかも当該サムネイル画像の空白領域に付加情報５０を合成（付加）した出力結果が得られる。
【００５７】
（具体例４）
図６は、具体例４に係る付加情報合成の説明図である。この具体例４は、具体例２の場合と同様に、上下両側に位置する帯状の黒領域を描画情報とするサムネイル画像４０Ｃの場合を示している。
【００５８】
なお、図６では、簡単のために、帯状の黒領域以外の描画情報として、「いろは」及び「ＡＢＣ」を示しているが、「いろは」及び「ＡＢＣ」以外にも多数の描画情報が存在し、付加情報５０が描画情報と重ならない空白領域が存在しないサムネイル画像４０Ｃであるとする。
【００５９】
このサムネイル画像４０Ｃにおいて、付加情報５０の合成位置をサムネイル画像４０Ｃの右下とした場合（Ａ）は、付加情報５０が下側の帯状の黒領域と重なることから、当該合成位置への付加情報５０の合成は不可となる。付加情報５０の合成位置をサムネイル画像４０Ｃの左下とした場合（Ｂ）は、付加情報５０が下側の帯状の黒領域と重なることから、当該合成位置への付加情報５０の合成は不可となる。
【００６０】
付加情報５０の合成位置をサムネイル画像４０Ｃの右上とした場合（Ｃ）は、付加情報５０が上側の帯状の黒領域と重なることから、当該合成位置への付加情報５０の合成は不可となる。付加情報５０の合成位置をサムネイル画像４０Ｃの左上とした場合（Ｄ）は、付加情報５０が上側の帯状の黒領域と重なることから、当該合成位置への付加情報５０の合成は不可となる。
【００６１】
そして、上述したように、本例に係るサムネイル画像４０Ｃには、上下両側の帯状の黒領域以外にも、全体的に描画情報が存在し、付加情報５０が描画情報と重ならない空白領域が存在しない。この場合には、印刷データの解析結果を基に付加情報５０の付加位置の変更が不可能と判断して次のような処理を行う。
【００６２】
すなわち、付加情報５０の付加位置の変更が不可能な場合には、付加情報５０の描画色を、付加情報５０を付加する領域の背景色に対してコントラストが強い色に変更する。本例の場合には、付加情報５０の描画色を当初黒色としていたものを、背景色が黒色（帯状の黒領域）であることから、当該背景色に対してコントラストが強い白色に変更する。
【００６３】
ここで、付加情報５０の描画色を、付加情報５０を付加する領域の背景色に対してコントラストが強い色に変更するに当たっては、印刷設定として指定されているカラーモード（白黒モード／カラーモード）を考慮すると良い。
【００６４】
［変形例］
以上、本発明について実施形態を用いて説明したが、本発明の技術的範囲は上記実施形態に記載の範囲には限定されるものではなく、発明の要旨を逸脱しない範囲で上記実施形態に多様な変更または改良を加えることができ、そのような変更または改良を加えた形態も本発明の技術的範囲に含まれる。
【００６５】
例えば、上記実施形態では、サムネイル画像を含む電子文書に付加情報を付加するための一連の処理機能を複合機等の画像処理装置１０に持たせるとしたが、当該処理機能をクライアントＰＣ２０に持たせることも可能である。この場合、クライアントＰＣ２０が画像処理装置１０を兼ねることになる。
【００６６】
また、上記実施形態では、情報漏洩事故が起こった際にその事故発生の原因を追跡調査するために、用紙に情報を出力した人や、情報を出力した機器などを特定できる識別情報を付加情報とした場合を例に挙げて説明したが、当該識別情報に限られるものではない。付加情報としては他に、企業ロゴ、スタンプ印などが挙げられる。
【００６７】
また、上記実施形態では、付加情報が可視情報の場合を例に挙げて説明したが、付加情報としては可視情報が限られるものではなく、付加情報が不可視情報の場合であっても可視情報の場合と同様のことが言える。
【００６８】
さらに、上記実施形態では、図２のステップＳ１６の判断処理において、付加情報が描画情報と重なると判断した場合に、付加情報を合成することが可能な位置を自動的に設定するとしたが、付加情報を合成することが可能な位置が複数存在する場合には、それらの位置をユーザに提示してユーザに選択させるようにすることも可能である。
【００６９】
さらにまた、上記実施形態では、図２のステップＳ１７の判断処理において、合成位置（付加位置）の変更が不可能と判断した場合、即ち、描画情報との重なりが検出され、かつ付加情報を合成できる領域が他にないと判断した場合には、あらかじめ判別した結果に基づいてユーザに、上記合成位置の選択と付加情報の描画色の変更（ステップＳ１９の処理）のどちらでも選択できるようにすることも可能である。
【図面の簡単な説明】
【００７０】
【図１】本発明に係る画像処理装置を含む情報処理システムの概略を示すシステム構成図である。
【図２】サムネイル画像に付加情報を付加するための一連の処理手順の流れを示すフローチャートである。
【図３】具体例１に係る付加情報合成の説明図である。
【図４】具体例２に係る付加情報合成の説明図である。
【図５】具体例３に係る付加情報合成の説明図である。
【図６】具体例４に係る付加情報合成の説明図である。
【符号の説明】
【００７１】
１０…画像処理装置１１…通信Ｉ／Ｆ（インターフェース）部、１２…ＵＩ（ユーザインターフェース）部、１３…画像出力ユニット、１４…印刷データ解析部、１５…画像描画部、１６…印刷設定処理部、１７…サムネイル処理部、１８…ＵＵＩＤ生成部、１９…合成画像生成部、２０…クライアントＰＣ、３０…ネットワーク、４０Ａ，４０Ｂ，４０Ｃ…サムネイル画像、５０…付加情報
【図１】
2010153990.tif 000003
【図２】
2010153990.tif 000004
【図３】
2010153990.tif 000005
【図４】
2010153990.tif 000006
【図５】
2010153990.tif 000007
【図６】
2010153990.tif 000008